【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
ユーザーの運動活動を検出、記憶し;かつ、
該ユーザーの該運動活動を携帯用ユーザー機器に送る
ように構成されている、記憶モジュールを有する運動能力機器
を備える、システム。
【請求項２】
運動能力機器が、携帯用ユーザー機器を受けるように構成された物理接続モジュールを含む、請求項1記載のシステム。
【請求項３】
運動能力機器が、携帯用ユーザー機器と無線で通信するように構成された送受信機を含む、請求項1記載のシステム。
【請求項４】
運動能力機器がさらに、携帯用ユーザー機器から運動活動データを受け取るように構成されている、請求項1記載のシステム。
【請求項５】
携帯用ユーザー機器がディジタル音楽プレーヤーである、請求項1記載のシステム。
【請求項６】
携帯用ユーザー機器がUSBコネクターを有する、請求項1記載のシステム。
【請求項７】
運動能力機器がさらに、運動活動データを追跡し、記憶するように構成されたリモート・ネットワーク・サイトに接続するように構成されている、請求項1記載のシステム。
【請求項８】
運動能力機器が、携帯用ユーザー機器を介してリモート・ネットワーク・サイトに接続するように構成されている、請求項7記載のシステム。
【請求項９】
運動能力機器がさらに、該運動能力機器に対応する運動器具の種類についての最善のワークアウト（workout）のデータを受け取るように構成されている、請求項1記載のシステム。
【請求項１０】
最善のワークアウトのデータが携帯用機器から受け取られる、請求項8記載のシステム。
【請求項１１】
最善のワークアウトのデータがリモート・ネットワーク・サイトから受け取られる、請求項9記載のシステム。
【請求項１２】
運動能力機器がさらに、最善のワークアウトのデータと比較したユーザーの運動活動を表示するように構成されている、請求項8記載のシステム。
【請求項１３】
運動能力機器がさらに、少なくとも1台の他の運動能力機器から運動活動データを受け取るように構成されている、請求項1記載のシステム。
【請求項１４】
運動活動が多種類の運動活動に使用される共通単位で記憶され、該共通単位が、運動活動が測定される単位とは異なる、請求項1記載のシステム。
【請求項１５】
運動活動が、リモート・ネットワーク・サイトにおいて、共通単位と運動活動が測定される単位とで表示され、共通単位における運動活動が、運動活動が測定される単位の運動活動とは異なるものとして知覚されるように表示される、請求項14記載のシステム。
【請求項１６】
リモート・ネットワーク・サイトが、運動活動を、共通単位だけで、または運動活動が測定される単位だけで表示するように構成することができる、請求項14記載のシステム。
【請求項１７】
運動活動が測定される単位が燃焼カロリー数を含み、共通単位が100燃焼カロリーに等しい、請求項14記載のシステム。
【請求項１８】
運動活動が、ユーザーの運動成績データを表示するように構成されたリモート・ネットワーク・サイトに伝送される、請求項1記載のシステム。
【請求項１９】
ネットワークサイトがさらに、運動成績データを器具別に表示するように構成されている、請求項18記載のシステム。
【請求項２０】
ネットワークサイトがさらに、目標と、ユーザーの運動成績データに基づく該目標を達成するに際しての現在の進捗とを表示するように構成されている、請求項18記載のシステム。
【請求項２１】
ネットワークサイトがさらに、別のユーザーからのコメントを表示するように構成されている、請求項18記載のシステム。
【請求項２２】
ネットワークサイトがさらに、ユーザーを表す電子アバターを表示するように構成されている、請求項18記載のシステム。
【請求項２３】
電子アバターの外観がユーザーの運動成績データに基づいて変化する、請求項22記載のシステム。
【請求項２４】
運動能力機器がさらに、最新のワークアウトと関連付けられたデータを表示するように構成されている、請求項1記載のシステム。
【請求項２５】
運動能力機器がさらに、別のユーザーからのコメントを表示するように構成されている、請求項1記載のシステム。
【請求項２６】
運動能力機器がさらに、ユーザーを表す電子アバターを表示するように構成されている、請求項1記載のシステム。
【請求項２７】
運動能力機器がさらに、少なくとも1名の他のユーザーの運動成績データを表示するように構成されている、請求項1記載のシステム。
【請求項２８】
運動能力機器が、携帯用ユーザー機器とリモート・ネットワーク・サイトの間の接続を円滑化するように構成されている、請求項1記載のシステム。
【請求項２９】
ユーザーの運動活動を検出するように構成された運動成績モジュールと;
運動活動情報を提供する運動成績データ欄と;
ユーザーに、前記運動活動情報に基づいて提供される一つまたは複数のメッセージを提供するメッセージ欄と
を備えるユーザーインターフェースを表示するように構成されたディスプレイと
を備える、装置。
【請求項３０】
一つまたは複数のメッセージが少なくとも1名の他のユーザーからのコメントを含む、請求項29記載の装置。
【請求項３１】
ユーザーインターフェースが、ユーザーを表す電子アバターを表示するアバター表示欄をさらに含む、請求項29記載の装置。
【請求項３２】
電子アバターの外観がユーザーの運動活動に基づいて変化する、請求項31記載の装置。
【請求項３３】
運動活動情報が、共通単位でのユーザーの運動活動の大きさを含む、請求項29記載の装置。
【請求項３４】
運動活動情報が、共通単位と、運動活動が測定される単位とで提供される、請求項33記載の装置。
【請求項３５】
ユーザーインターフェースが、運動活動情報を、運動活動が測定される単位とは異なるものとして知覚されるように共通単位で提供するように構成されている、請求項34記載の装置。
【請求項３６】
ディスプレイがさらに、少なくとも1名の他のユーザーの運動活動情報を表示するように構成されている、請求項29記載の装置。
【請求項３７】
ディスプレイが、ユーザーの運動活動と比較した少なくとも1名の他のユーザーの運動活動情報を表示するように構成されている、請求項36記載の装置。
【請求項３８】
メッセージ欄が、ユーザーが指定の目標までの中間点に到達すると、該ユーザーに一つまたは複数のメッセージを提供するように構成されている、請求項29記載の装置。
【請求項３９】
一つまたは複数のメッセージが励ましのメッセージを含む、請求項29記載の装置。
【請求項４０】
ユーザーインターフェースが、ユーザーのワークアウト履歴情報を表示するように構成された履歴欄をさらに含む、請求項29記載の装置。
【請求項４１】
ワークアウト履歴情報が、装置に対応する運動活動の種類に関連するデータのみを含む、請求項40記載の装置。
【請求項４２】
ワークアウト履歴情報が、最善のワークアウトタイムを含む、請求項40記載の装置。
【請求項４３】
一つまたは複数のメッセージが、ユーザーが順調に最善のワークアウトタイムを破ろうとしていると判定したことに応答して提供され、該判定が、運動成績モジュールによって検出された運動活動に基づいて行われる、請求項29記載の装置。
【請求項４４】
ユーザーの運動活動を測定するように構成された運動成績モジュールと;
ユーザーのためのチャレンジを指定する情報を受け取り;
運動成績モジュールを使用して行われた運動活動の量を求め;
行われた運動活動の量に基づき、チャレンジがユーザーによって達成されているかどうか判定する
ように構成されたチャレンジモジュールと
を備える、システム。
【請求項４５】
チャレンジが別のユーザーから受け取られる、請求項44記載のシステム。
【請求項４６】
チャレンジが、多種類の運動活動に使用される共通単位で定義される、請求項44記載のシステム。
【請求項４７】
チャレンジが運動活動が測定される単位で指定される、請求項44記載のシステム。
【請求項４８】
チャレンジが、第1の運動トレーニング施設と第2の運動トレーニング施設の間の競争を含む、請求項44記載のシステム。
【請求項４９】
第1および第2の運動トレーニング施設が、単一の運動トレーニング施設提供者に対応するものである、請求項48記載のシステム。
【請求項５０】
チャレンジが、第1の運動トレーニング施設提供者と第2の運動トレーニング施設提供者の間の競争を含む、請求項44記載のシステム。
【請求項５１】
第1の運動トレーニング施設提供者が複数の運動トレーニング施設を備える、請求項50記載のシステム。
【請求項５２】
チャレンジが、第1のユーザーグループと第2のユーザーグループの間の競争を含む、請求項44記載のシステム。
【請求項５３】
ユーザーによって行われる運動活動を測定するように構成された運動成績モジュールと;
定義されたスケジュールで完了されるべき複数のタスクを備える、指定の目標を達成するためのトレーニングプログラムを決定し;
運動成績モジュールによって測定された運動活動に基づいて、ユーザーが複数のタスクをのうちの少なくとも一つのタスクを完了しているかどうか判定する
ように構成されたプロセッサと
を備える、システム。
【請求項５４】
少なくとも一つのタスクが共通単位で指定される、請求項53記載のシステム。
【請求項５５】
少なくとも一つのタスクが、運動成績モジュールに対応する運動活動の種類を指定する、請求項53記載のシステム。
【請求項５６】
運動成績モジュールがエリプティカル機器を含む、請求項53記載のシステム。
【請求項５７】
運動成績モジュールがランニング機器を含む、請求項53記載のシステム。
【請求項５８】
トレーニングプログラムがトレーナーによって定義される、請求項53記載のシステム。
【請求項５９】
トレーナーからのメッセージを表示するように構成された表示モジュールをさらに備える、請求項58記載のシステム。
【請求項６０】
ユーザーによって行われる運動活動を測定するように構成された運動成績モジュールと;
ユーザーを表し、該ユーザーによって行われ測定された運動活動に従って電子アバターの外観が変化する電子アバターを表示するように構成されたディスプレイと
を備える、システム。
【請求項６１】
測定された運動活動に基づいて、ユーザーが運動目標に到達していると判定すると、アバターのための褒賞を提供するように構成された達成モジュールをさらに備える、請求項60記載のシステム。
【請求項６２】
褒賞が仮想Tシャツを含む、請求項61記載のシステム。
【請求項６３】
褒賞が1足の仮想靴を含む、請求項61記載のシステム。
【請求項６４】
褒賞がユーザーのためのクーポンをさらに含む、請求項61記載のシステム。
【請求項６５】
電子アバターが非公開設定を含み、該電子アバターが非公開に設定されているときには、ユーザーのみが電子アバターを表示させることができる、請求項60記載のシステム。
【請求項６６】
ディスプレイがさらに、複数のアバターを表示するように構成されており、第2のアバターの位置に対する第1のアバターの位置が、該第1のアバターで表される第1のユーザーと該第2のアバターで表される第2のユーザーとの間の運動成績においての差を示す、請求項60記載のシステム。
【請求項６７】
第2のアバターの位置に対する第1のアバターの位置が、目標の達成に向けた相対的進捗を示す、請求項66記載のシステム。
【請求項６８】
第1のアバターと第2のアバターの少なくとも一方の位置が測定された運動活動に基づいて変化する、請求項66記載のシステム。
【請求項６９】
ユーザーによって行われる運動活動を測定するように構成された運動成績モジュールと;
運動成績モジュールによって測定された運動活動の履歴データを記憶するデータベースと;
履歴データを、ユーザーによって行われ測定された運動活動と比較するように構成された比較モジュールと
を備える、システム。
【請求項７０】
比較モジュールがさらに、ユーザーの運動活動が履歴データと比較してどの程度であるかに基づいて、該ユーザーに一つまたは複数のメッセージを提供するように構成されている、請求項69記載のシステム。
【請求項７１】
一つまたは複数のメッセージが動機づけのメッセージを含む、請求項70記載のシステム。
【請求項７２】
一つまたは複数のメッセージが、履歴データの平均値を破るための提言を含む、請求項70記載のシステム。
【請求項７３】
履歴データをリモート・ネットワーク・サイトに送るように構成された送受信機をさらに備える、請求項69記載のシステム。
【請求項７４】
履歴データを携帯用ユーザー機器に伝送するように構成されたデータ転送モジュールをさらに備える、請求項69記載のシステム。
【請求項７５】
運動成績モジュールが第1の場所に位置し、システムが履歴データを第2の場所に伝送するように構成された送受信機をさらに含み、該送受信機がさらに、第2の場所から運動成績データを受け取るように構成されており、比較モジュールがさらに、ユーザーによって行われた運動活動を第2の場所から受け取られた運動成績データと比較するように構成されており、第1の場所が第1の運動トレーニング施設であり、第2の場所が第2の運動トレーニング施設である、請求項69記載のシステム。
【請求項７６】
受け取られた運動成績データの中からある運動活動の種類に特有のデータを抽出するように構成されたフィルタリングモジュールをさらに備え、運動活動の種類がユーザーによって行われた運動活動に対応し、比較モジュールが、前記抽出データだけを、ユーザーによって行われた運動活動と比較するように構成されている、請求項75記載のシステム。
【請求項７７】
記憶モジュールを有する、ユーザーにカーディオバスキュラー運動を行わせるように構成された運動能力機器であり、
ユーザーの運動活動を検出、記憶し、
ユーザーの運動活動を、ランニングの形での該ユーザーの第2の運動活動を記録し、記憶するように構成されている携帯用ユーザー機器に送る
ように構成されている運動能力機器
を備える、システム。
【請求項７８】
運動活動データを追跡し、記憶するように構成されたリモート・ネットワーク・サイトであり、運動活動機器と関連付けられたユーザーの運動活動と、該ユーザーの第2の運動活動とを転送する
ことのできる携帯用ユーザー機器と通信するリモート・ネットワーク・サイトをさらに備える、請求項77記載のシステム。
【請求項７９】
第2の運動活動が走行マイル数で測定され、運動活動機器と関連付けられた運動活動が、走行マイル数とは異なる共通単位で測定され、リモート・ネットワーク・サイトが、共通単位の運動活動を、走行マイル数の運動活動とは異なるものとして知覚されるように表示する、請求項78記載のシステム。
【手続補正２】
【補正対象書類名】明細書
【補正対象項目名】００１４
【補正方法】変更
【補正の内容】
【００１４】
本発明のこれらの特徴および他の特徴は、下記の詳細な説明から明らかになるであろう。
[請求項1001]
ユーザーの運動活動を検出、記憶し;かつ、
該ユーザーの該運動活動を携帯用ユーザー機器に送る
ように構成されている、記憶モジュールを有する運動能力機器
を備える、システム。
[請求項1002]
運動能力機器が、携帯用ユーザー機器を受けるように構成された物理接続モジュールを含む、請求項1001記載のシステム。
[請求項1003]
運動能力機器が、携帯用ユーザー機器と無線で通信するように構成された送受信機を含む、請求項1001記載のシステム。
[請求項1004]
運動能力機器がさらに、携帯用ユーザー機器から運動活動データを受け取るように構成されている、請求項1001記載のシステム。
[請求項1005]
携帯用ユーザー機器がディジタル音楽プレーヤーである、請求項1001記載のシステム。
[請求項1006]
携帯用ユーザー機器がUSBコネクターを有する、請求項1001記載のシステム。
[請求項1007]
運動能力機器がさらに、運動活動データを追跡し、記憶するように構成されたリモート・ネットワーク・サイトに接続するように構成されている、請求項1001記載のシステム。
[請求項1008]
運動能力機器が、携帯用ユーザー機器を介してリモート・ネットワーク・サイトに接続するように構成されている、請求項1007記載のシステム。
[請求項1009]
運動能力機器がさらに、該運動能力機器に対応する運動器具の種類についての最善のワークアウト(workout)のデータを受け取るように構成されている、請求項1001記載のシステム。
[請求項1010]
最善のワークアウトのデータが携帯用機器から受け取られる、請求項1008記載のシステム。
[請求項1011]
最善のワークアウトのデータがリモート・ネットワーク・サイトから受け取られる、請求項1009記載のシステム。
[請求項1012]
運動能力機器がさらに、最善のワークアウトのデータと比較したユーザーの運動活動を表示するように構成されている、請求項1008記載のシステム。
[請求項1013]
運動能力機器がさらに、少なくとも1台の他の運動能力機器から運動活動データを受け取るように構成されている、請求項1001記載のシステム。
[請求項1014]
運動活動が多種類の運動活動に使用される共通単位で記憶され、該共通単位が、運動活動が測定される単位とは異なる、請求項1001記載のシステム。
[請求項1015]
運動活動が、リモート・ネットワーク・サイトにおいて、共通単位と運動活動が測定される単位とで表示され、共通単位における運動活動が、運動活動が測定される単位の運動活動とは異なるものとして知覚されるように表示される、請求項1014記載のシステム。
[請求項1016]
リモート・ネットワーク・サイトが、運動活動を、共通単位だけで、または運動活動が測定される単位だけで表示するように構成することができる、請求項1014記載のシステム。
[請求項1017]
運動活動が測定される単位が燃焼カロリー数を含み、共通単位が100燃焼カロリーに等しい、請求項1014記載のシステム。
[請求項1018]
運動活動が、ユーザーの運動成績データを表示するように構成されたリモート・ネットワーク・サイトに伝送される、請求項1001記載のシステム。
[請求項1019]
ネットワークサイトがさらに、運動成績データを器具別に表示するように構成されている、請求項1018記載のシステム。
[請求項1020]
ネットワークサイトがさらに、目標と、ユーザーの運動成績データに基づく該目標を達成するに際しての現在の進捗とを表示するように構成されている、請求項1018記載のシステム。
[請求項1021]
ネットワークサイトがさらに、別のユーザーからのコメントを表示するように構成されている、請求項1018記載のシステム。
[請求項1022]
ネットワークサイトがさらに、ユーザーを表す電子アバターを表示するように構成されている、請求項1018記載のシステム。
[請求項1023]
電子アバターの外観がユーザーの運動成績データに基づいて変化する、請求項1022記載のシステム。
[請求項1024]
運動能力機器がさらに、最新のワークアウトと関連付けられたデータを表示するように構成されている、請求項1001記載のシステム。
[請求項1025]
運動能力機器がさらに、別のユーザーからのコメントを表示するように構成されている、請求項1001記載のシステム。
[請求項1022]
運動能力機器がさらに、ユーザーを表す電子アバターを表示するように構成されている、請求項1001記載のシステム。
[請求項1023]
運動能力機器がさらに、少なくとも1名の他のユーザーの運動成績データを表示するように構成されている、請求項1001記載のシステム。
[請求項1024]
運動能力機器が、携帯用ユーザー機器とリモート・ネットワーク・サイトの間の接続を円滑化するように構成されている、請求項1001記載のシステム。
[請求項1025]
ユーザーの運動活動を検出するように構成された運動成績モジュールと;
運動活動情報を提供する運動成績データ欄と;
ユーザーに、前記運動活動情報に基づいて提供される一つまたは複数のメッセージを提供するメッセージ欄と
を備えるユーザーインターフェースを表示するように構成されたディスプレイと
を備える、装置。
[請求項1026]
一つまたは複数のメッセージが少なくとも1名の他のユーザーからのコメントを含む、請求項1025記載の装置。
[請求項1027]
ユーザーインターフェースが、ユーザーを表す電子アバターを表示するアバター表示欄をさらに含む、請求項1025記載の装置。
[請求項1028]
電子アバターの外観がユーザーの運動活動に基づいて変化する、請求項1027記載の装置。
[請求項1029]
運動活動情報が、共通単位でのユーザーの運動活動の大きさを含む、請求項1025記載の装置。
[請求項1030]
運動活動情報が、共通単位と、運動活動が測定される単位とで提供される、請求項1029記載の装置。
[請求項1031]
ユーザーインターフェースが、運動活動情報を、運動活動が測定される単位とは異なるものとして知覚されるように共通単位で提供するように構成されている、請求項1030記載の装置。
[請求項1032]
ディスプレイがさらに、少なくとも1名の他のユーザーの運動活動情報を表示するように構成されている、請求項1025記載の装置。
[請求項1033]
ディスプレイが、ユーザーの運動活動と比較した少なくとも1名の他のユーザーの運動活動情報を表示するように構成されている、請求項1032記載の装置。
[請求項1034]
メッセージ欄が、ユーザーが指定の目標までの中間点に到達すると、該ユーザーに一つまたは複数のメッセージを提供するように構成されている、請求項1025記載の装置。
[請求項1035]
一つまたは複数のメッセージが励ましのメッセージを含む、請求項1025記載の装置。
[請求項1036]
ユーザーインターフェースが、ユーザーのワークアウト履歴情報を表示するように構成された履歴欄をさらに含む、請求項1025記載の装置。
[請求項1037]
ワークアウト履歴情報が、装置に対応する運動活動の種類に関連するデータのみを含む、請求項1036記載の装置。
[請求項1038]
ワークアウト履歴情報が、最善のワークアウトタイムを含む、請求項1036記載の装置。
[請求項1039]
一つまたは複数のメッセージが、ユーザーが順調に最善のワークアウトタイムを破ろうとしていると判定したことに応答して提供され、該判定が、運動成績モジュールによって検出された運動活動に基づいて行われる、請求項1025記載の装置。
[請求項1040]
ユーザーの運動活動を測定するように構成された運動成績モジュールと;
ユーザーのためのチャレンジを指定する情報を受け取り;
運動成績モジュールを使用して行われた運動活動の量を求め;
行われた運動活動の量に基づき、チャレンジがユーザーによって達成されているかどうか判定する
ように構成されたチャレンジモジュールと
を備える、システム。
[請求項1041]
チャレンジが別のユーザーから受け取られる、請求項1040記載のシステム。
[請求項1042]
チャレンジが、多種類の運動活動に使用される共通単位で定義される、請求項1040記載のシステム。
[請求項1043]
チャレンジが運動活動が測定される単位で指定される、請求項1040記載のシステム。
[請求項1044]
チャレンジが、第1の運動トレーニング施設と第2の運動トレーニング施設の間の競争を含む、請求項1040記載のシステム。
[請求項1045]
第1および第2の運動トレーニング施設が、単一の運動トレーニング施設提供者に対応するものである、請求項1044記載のシステム。
[請求項1046]
チャレンジが、第1の運動トレーニング施設提供者と第2の運動トレーニング施設提供者の間の競争を含む、請求項1040記載のシステム。
[請求項1047]
第1の運動トレーニング施設提供者が複数の運動トレーニング施設を備える、請求項1046記載のシステム。
[請求項1048]
チャレンジが、第1のユーザーグループと第2のユーザーグループの間の競争を含む、請求項1040記載のシステム。
[請求項1049]
ユーザーによって行われる運動活動を測定するように構成された運動成績モジュールと;
定義されたスケジュールで完了されるべき複数のタスクを備える、指定の目標を達成するためのトレーニングプログラムを決定し;
運動成績モジュールによって測定された運動活動に基づいて、ユーザーが複数のタスクをのうちの少なくとも一つのタスクを完了しているかどうか判定する
ように構成されたプロセッサと
を備える、システム。
[請求項1050]
少なくとも一つのタスクが共通単位で指定される、請求項1049記載のシステム。
[請求項1051]
少なくとも一つのタスクが、運動成績モジュールに対応する運動活動の種類を指定する、請求項1049記載のシステム。
[請求項1052]
運動成績モジュールがエリプティカル機器を含む、請求項1049記載のシステム。
[請求項1053]
運動成績モジュールがランニング機器を含む、請求項1049記載のシステム。
[請求項1054]
トレーニングプログラムがトレーナーによって定義される、請求項1049記載のシステム。
[請求項1055]
トレーナーからのメッセージを表示するように構成された表示モジュールをさらに備える、請求項1054記載のシステム。
[請求項1056]
ユーザーによって行われる運動活動を測定するように構成された運動成績モジュールと;
ユーザーを表し、該ユーザーによって行われ測定された運動活動に従って電子アバターの外観が変化する電子アバターを表示するように構成されたディスプレイと
を備える、システム。
[請求項1057]
測定された運動活動に基づいて、ユーザーが運動目標に到達していると判定すると、アバターのための褒賞を提供するように構成された達成モジュールをさらに備える、請求項1056記載のシステム。
[請求項1058]
褒賞が仮想Tシャツを含む、請求項1057記載のシステム。
[請求項1059]
褒賞が1足の仮想靴を含む、請求項1057記載のシステム。
[請求項1060]
褒賞がユーザーのためのクーポンをさらに含む、請求項1057記載のシステム。
[請求項1061]
電子アバターが非公開設定を含み、該電子アバターが非公開に設定されているときには、ユーザーのみが電子アバターを表示させることができる、請求項1056記載のシステム。
[請求項1062]
ディスプレイがさらに、複数のアバターを表示するように構成されており、第2のアバターの位置に対する第1のアバターの位置が、該第1のアバターで表される第1のユーザーと該第2のアバターで表される第2のユーザーとの間の運動成績においての差を示す、請求項1056記載のシステム。
[請求項1063]
第2のアバターの位置に対する第1のアバターの位置が、目標の達成に向けた相対的進捗を示す、請求項1062記載のシステム。
[請求項1064]
第1のアバターと第2のアバターの少なくとも一方の位置が測定された運動活動に基づいて変化する、請求項1062記載のシステム。
[請求項1065]
ユーザーによって行われる運動活動を測定するように構成された運動成績モジュールと;
運動成績モジュールによって測定された運動活動の履歴データを記憶するデータベースと;
履歴データを、ユーザーによって行われ測定された運動活動と比較するように構成された比較モジュールと
を備える、システム。
[請求項1066]
比較モジュールがさらに、ユーザーの運動活動が履歴データと比較してどの程度であるかに基づいて、該ユーザーに一つまたは複数のメッセージを提供するように構成されている、請求項1065記載のシステム。
[請求項1067]
一つまたは複数のメッセージが動機づけのメッセージを含む、請求項1066記載のシステム。
[請求項1068]
一つまたは複数のメッセージが、履歴データの平均値を破るための提言を含む、請求項1066記載のシステム。
[請求項1069]
履歴データをリモート・ネットワーク・サイトに送るように構成された送受信機をさらに備える、請求項1065記載のシステム。
[請求項1070]
履歴データを携帯用ユーザー機器に伝送するように構成されたデータ転送モジュールをさらに備える、請求項1065記載のシステム。
[請求項1071]
運動成績モジュールが第1の場所に位置し、システムが履歴データを第2の場所に伝送するように構成された送受信機をさらに含み、該送受信機がさらに、第2の場所から運動成績データを受け取るように構成されており、比較モジュールがさらに、ユーザーによって行われた運動活動を第2の場所から受け取られた運動成績データと比較するように構成されており、第1の場所が第1の運動トレーニング施設であり、第2の場所が第2の運動トレーニング施設である、請求項1065記載のシステム。
[請求項1072]
受け取られた運動成績データの中からある運動活動の種類に特有のデータを抽出するように構成されたフィルタリングモジュールをさらに備え、運動活動の種類がユーザーによって行われた運動活動に対応し、比較モジュールが、前記抽出データだけを、ユーザーによって行われた運動活動と比較するように構成されている、請求項1071記載のシステム。
[請求項1073]
記憶モジュールを有する、ユーザーにカーディオバスキュラー運動を行わせるように構成された運動能力機器であり、
ユーザーの運動活動を検出、記憶し、
ユーザーの運動活動を、ランニングの形での該ユーザーの第2の運動活動を記録し、記憶するように構成されている携帯用ユーザー機器に送る
ように構成されている運動能力機器
を備える、システム。
[請求項1074]
運動活動データを追跡し、記憶するように構成されたリモート・ネットワーク・サイトであり、運動活動機器と関連付けられたユーザーの運動活動と、該ユーザーの第2の運動活動とを転送することのできる携帯用ユーザー機器と通信するリモート・ネットワーク・サイトをさらに備える、請求項1073記載のシステム。
[請求項1075]
第2の運動活動が走行マイル数で測定され、運動活動機器と関連付けられた運動活動が、走行マイル数とは異なる共通単位で測定され、リモート・ネットワーク・サイトが、共通単位の運動活動を、走行マイル数の運動活動とは異なるものとして知覚されるように表示する、請求項1074記載のシステム。
[請求項1076]
運動能力機器において、ユーザーによって行われる運動活動を測定する段階;および
ユーザーの運動活動を携帯用ユーザー機器に送る段階
を含む、方法。
[請求項1077]
ユーザーの運動活動を携帯用ユーザー機器に送る段階が、運動能力機器と携帯用ユーザー機器の間の物理接続を介して行われる、請求項1076記載の方法。
[請求項1078]
ユーザーの運動活動を携帯用ユーザー機器に送る段階が、無線で行われる、請求項1076記載の方法。
[請求項1079]
携帯用ユーザー機器から運動活動データを受け取る段階をさらに備える、請求項1076記載の方法。
[請求項1080]
携帯用ユーザー機器がディジタル音楽プレーヤーを含む、請求項1076記載の方法。
[請求項1081]
携帯用ユーザー機器がUSBコネクターを含む、請求項1076記載の方法。
[請求項1082]
運動活動データを追跡し、記憶するように構成されたリモート・ネットワーク・サイトに測定された運動活動を伝送する段階をさらに備える、請求項1076記載の方法。
[請求項1083]
リモート・ネットワーク・サイトに測定された運動活動を伝送する段階が、携帯用ユーザー機器を介して行われる、請求項1082記載の方法。
[請求項1084]
運動能力機器に対応する運動器具の種類についての最善のワークアウトのデータを受け取る段階;および
ユーザーによって行われ測定された運動活動を前記最善のワークアウトと比較する段階
をさらに備える、請求項1082記載の方法。
[請求項1085]
最善のワークアウトのデータがリモート・ネットワーク・サイトから受け取られる、請求項1084記載の方法。
[請求項1086]
最善のワークアウトのデータが携帯用機器から受け取られる、請求項1083記載の方法。
[請求項1087]
最善のワークアウトのデータと比較したユーザーの運動活動を表示する段階をさらに備える、請求項1083記載の方法。
[請求項1088]
運動能力機器がさらに、少なくとも1台の他の運動能力機器から運動活動データを受け取るように構成されている、請求項1076記載の方法。
[請求項1089]
運動活動を多種類の運動活動に使用される共通単位で記憶する段階をさらに備え、該共通単位が、運動活動が測定される単位とは異なる、請求項1076記載の方法。
[請求項1090]
運動活動を、リモート・ネットワーク・サイトにおいて、共通単位と、該運動活動が測定される単位とで表示する段階をさらに備え、共通単位の運動活動が、運動活動が測定される単位の運動活動とは異なるものとして知覚されるように表示される、請求項1089記載の方法。
[請求項1091]
リモート・ネットワーク・サイトが、運動活動を、共通単位だけで、または該運動活動が測定される単位だけで表示するように構成することができる、請求項1089記載の方法。
[請求項1092]
運動活動が測定される単位が燃焼カロリー数を含み、共通単位が100燃焼カロリーに等しい、請求項1089記載の方法。
[請求項1093]
運動活動が、ユーザーの運動成績データを表示するように構成されたリモート・ネットワーク・サイトに伝送される、請求項1076記載の方法。
[請求項1094]
運動成績データを、ネットワークサイトにおいて器具別に表示する段階をさらに備える、請求項1093記載の方法。
[請求項1095]
目標と、ユーザーの運動成績データに基づく該目標を達成するに際しての現在の進捗を表示する段階をさらに備える、請求項1093記載の方法。
[請求項1096]
運動成績モジュールが、ユーザーの運動活動を測定する段階;および
運動活動情報を提供する運動成績データ欄と;
ユーザーに、運動活動情報に基づいて提供される一つまたは複数のメッセージを提供するメッセージ欄と
を備えるユーザーインターフェースを表示する段階
を備える、方法。
[請求項1097]
一つまたは複数のメッセージが少なくとも1名の他のユーザーからのコメントを含む、請求項1096記載の方法。
[請求項1098]
ユーザーインターフェースが、ユーザーを表す電子アバターを表示するアバター表示欄をさらに含む、請求項1096記載の装置。
[請求項1099]
ユーザーの運動活動に基づいて電子アバターの外観を変更する段階をさらに備える、請求項1098記載の方法。
[請求項1100]
運動活動情報が、共通単位でのユーザーの運動活動の大きさを含む、請求項1096記載の方法。
[請求項1101]
運動活動情報が、共通単位と、運動活動が測定される単位とで提供される、請求項1100記載の方法。
[請求項1102]
ユーザーインターフェースが、運動活動情報を、運動活動が測定される単位とは異なるものとして知覚されるように共通単位で表示する、請求項1101記載の方法。
[請求項1103]
ユーザーインターフェースが少なくとも1名の他のユーザーの運動活動情報をさらに備える、請求項1096記載の方法。
[請求項1104]
ユーザーの運動活動と比較した少なくとも1名の他のユーザーの運動活動情報を表示する段階をさらに備える、請求項1103記載の方法。
[請求項1105]
ユーザーが指定の目標までの中間点に到達すると、メッセージ欄において該ユーザーに一つまたは複数のメッセージを表示する段階をさらに備える、請求項1096記載の方法。
[請求項1106]
ユーザーインターフェースが、ユーザーのワークアウト履歴情報を表示する履歴欄をさらに含む、請求項1096記載の方法。
[請求項1107]
ワークアウト履歴情報が、運動成績モジュールに対応する運動活動の種類に関連するデータのみを含む、請求項1106記載の方法。
[請求項1108]
ワークアウト履歴情報が最善のワークアウトタイムを含む、請求項1106記載の方法。
[請求項1109]
ユーザーが順調に最善のワークアウトタイムを破ろうとしていると判定する段階;および
運動成績モジュールによって検出された運動活動に基づいて行われる前記判定に応答して、一つまたは複数のメッセージを前記ユーザーに提供する段階
をさらに備える、請求項1096記載の方法。
[請求項1110]
ユーザーのためのチャレンジを指定する情報を受け取る段階;
運動能力機器を使用して行われた運動活動の量を求める段階;および
運動能力機器を使用して行われた運動活動の量に基づいて、チャレンジがユーザーによって達成されているかどうか判定する段階
を備える、方法。
[請求項1111]
チャレンジが別のユーザーから受け取られる、請求項1110記載の方法。
[請求項1112]
チャレンジが、多種類の運動活動に使用される共通単位で定義される、請求項1110記載の方法。
[請求項1113]
チャレンジが運動活動が測定される単位で指定される、請求項1110記載の方法。
[請求項1114]
チャレンジが、第1の運動トレーニング施設と第2の運動トレーニング施設の間の競争を含む、請求項1110記載の方法。
[請求項1115]
第1および第2の運動トレーニング施設が、単一の運動トレーニング施設提供者に対応するものである、請求項1114記載の方法。
[請求項1116]
チャレンジが、第1の運動トレーニング施設提供者と第2の運動トレーニング施設提供者の間の競争を含む、請求項1110記載の方法。
[請求項1117]
第1の運動トレーニング施設提供者が複数の運動トレーニング施設を含む、請求項1116記載の方法。
[請求項1118]
チャレンジが、第1のユーザーグループと第2のユーザーグループの間の競争を含む、請求項1110記載の方法。
[請求項1119]
少なくとも一つのタスクが運動能力機器を使用する運動活動を含む、定義されたスケジュールで完了されるべき複数のタスクを備える、指定の目標を達成するためのトレーニングプログラムを決定する段階;
運動能力機器を使用して行われた運動活動の量を求める段階;および
運動能力機器を使用して行われた運動活動の量に基づいて、ユーザーが少なくとも一つのタスクを完了しているかどうか判定する段階
を備える、方法。
[請求項1120]
少なくとも一つのタスクが共通単位で指定される、請求項1119記載の方法。
[請求項1121]
少なくとも一つのタスクが、運動能力機器に対応する運動活動の種類を指定する、請求項1119記載の方法。
[請求項1122]
運動能力機器がエリプティカル機器を含む、請求項1119記載の方法。
[請求項1123]
運動能力機器がランニング機器を含む、請求項1119記載の方法。
[請求項1124]
トレーニングプログラムがトレーナーによって定義される、請求項1119記載の方法。
[請求項1125]
コーチからのメッセージを表示する段階をさらに備える、請求項1124記載の方法。
[請求項1126]
運動能力機器を使用して行われた運動活動の量を求める段階;および
運動能力機器を使用して行われた運動活動の量に基づいて電子アバターの外観を変更する段階
を備える、方法。
[請求項1127]
行われた運動活動の量に基づいてユーザーが運動目標に到達していると判定すると、アバターのための褒賞を提供する段階をさらに備える、請求項1126記載の方法。
[請求項1128]
褒賞が仮想Tシャツを含む、請求項1127記載の方法。
[請求項1129]
褒賞が1足の仮想靴を含む、請求項1127記載の方法。
[請求項1130]
褒賞がユーザーのためのクーポンをさらに含む、請求項1127記載の方法。
[請求項1131]
電子アバターを非公開に設定するよう求める要求を受け取る段階;および
要求に応答して、電子アバターをユーザーのみが表示させることができるように構成する段階
をさらに備える、請求項1126記載の方法。
[請求項1132]
複数のアバターを表示する段階をさらに備え、第2のアバターの位置に対する第1のアバターの位置が、該第1のアバターで表される第1のユーザーと該第2のアバターで表される第2のユーザーとの間の運動成績においての差を示す、請求項1126記載の方法。
[請求項1133]
第2のアバターの位置に対する第1のアバターの位置が、共通目標の達成に向けた相対的進捗を示す、請求項1132記載の方法。
[請求項1134]
第1のアバターと第2のアバターの少なくとも一方の位置が行われた運動活動の量に基づいて変化する、請求項1132記載の方法。
[請求項1135]
運動能力機器を使用して第1のユーザーによって行われた運動活動の履歴データを記憶する段階;
運動能力機器を使用して第2のユーザーによって行われた運動活動の量を求める段階;および
第2のユーザーによって行われた運動活動の量を履歴データと比較する段階
を備える、方法。
[請求項1136]
ユーザーの運動活動が履歴データと比較してどの程度であるかに基づいて、該ユーザーに一つまたは複数のメッセージを提供する段階をさらに備える、請求項1135記載の方法。
[請求項1137]
一つまたは複数のメッセージが動機づけのメッセージを含む、請求項1136記載の方法。
[請求項1138]
一つまたは複数のメッセージが、履歴データの平均値を破るための提言を含む、請求項1136記載の方法。
[請求項1139]
履歴データをリモート・ネットワーク・サイトに伝送する段階をさらに備える、請求項1135記載の方法。
[請求項1140]
履歴データを携帯用ユーザー機器に転送する段階をさらに備える、請求項1135記載の方法。
[請求項1141]
運動能力機器が第1の場所に位置し、履歴データを第2の場所に伝送する段階をさらに備える、請求項1135記載の方法。
[請求項1142]
第2の場所から運動成績データを受け取る段階;および
ユーザーによって行われた運動活動を、第2の場所から受け取られた運動成績データと比較する段階
をさらに備える、請求項1141記載の方法。
[請求項1143]
第1の場所は第1の運動トレーニング施設であり、第2の場所は第2の運動トレーニング施設である、請求項1142記載の方法。
[請求項1144]
受け取られた運動成績データの中からある運動活動の種類に特有のデータを抽出する段階をさらに備える、請求項1142記載の方法。
[請求項1145]
運動活動の種類がユーザーによって行われた該運動活動に対応し、抽出データだけを、前記ユーザーによって行われた前記運動活動と比較する段階をさらに備える、請求項1144記載の方法。